(57)【要約】      （修正有）【課題】外被把持部材を光コネクタ本体に挿入する作業を容易にする光コネクタ製造方法を提供する。【解決手段】光ケーブル３を保持した外被把持部材３０を光コネクタ本体１０に挿入することによって光コネクタを組み立てる光コネクタ製造方法であって、光コネクタ本体１０を収容する収容部５２を有する第１部材５０と、第１部材５０に対して回転可能に連結された第２部材６０とを備えた工具を準備する工程と、光コネクタ本体１０に外被把持部材３０を途中まで挿入する工程と、光コネクタ本体１０を第１部材５０の収容部５２に収容する工程と、第１部材５０に対して第２部材６０を回転させ、収容部５２の規制部に光コネクタ本体１０を接触させながら、第２部材６０の端部に設けられた押圧部６２によって外被把持部材３０の端面を押圧することによって、外被把持部材３０を光コネクタ本体１０に更に挿入する工程とを有する。【選択図】図９
2017142362.tif 000002
【特許請求の範囲】
【請求項１】
光ケーブルを保持した外被把持部材を光コネクタ本体に挿入することによって光コネクタを組み立てる光コネクタ製造方法であって、
前記光コネクタ本体を収容する収容部を有する第１部材と、前記第１部材に対して回転可能に連結された第２部材とを備えた工具を準備すること、
前記光コネクタ本体に前記外被把持部材を途中まで挿入すること、
前記光コネクタ本体を前記第１部材の収容部に収容すること、及び
前記第１部材に対して前記第２部材を回転させ、前記収容部の規制部に前記光コネクタ本体を接触させながら、前記第２部材の端部に設けられた押圧部によって前記外被把持部材の端面を押圧することによって、前記外被把持部材を前記光コネクタ本体に更に挿入すること
を行うことを特徴とする光コネクタ製造方法。
【請求項２】
請求項１に記載の光コネクタ製造方法であって、
前記押圧部には湾曲面が形成されており、
前記第１部材に対して前記第２部材を回転させたとき、前記押圧部の前記湾曲面によって前記外被把持部材の端面が押圧される
ことを特徴とする光コネクタ製造方法。
【請求項３】
請求項２に記載の光コネクタ製造方法であって、
前記第２部材の端部には、一対の押圧部が形成されており、
前記第１部材に対して前記第２部材を回転させたとき、前記一対の押圧部によって、前記光ケーブルを挟持する前記外被把持部材の一対の側壁部の端面がそれぞれ押圧される
ことを特徴とする光コネクタ製造方法。
【請求項４】
請求項１〜３のいずれかに記載の光コネクタ製造方法であって、
前記第１部材と前記第２部材とを回転可能に連結する連結部から見て前記押圧部とは反対側に配置された操作部に力を加えて、前記第１部材に対して前記第２部材を回転させることを特徴とする光コネクタ製造方法。
【請求項５】
請求項４に記載の光コネクタ製造方法であって、
前記連結部と前記操作部との距離は、前記連結部と前記押圧部との距離よりも長いことを特徴とする光コネクタ製造方法。
【請求項６】
請求項１〜５のいずれかに記載の光コネクタ製造方法であって、
前記工具は、前記第１部材と前記第２部材との回転を固定するためのラッチ機構を有することを特徴とする光コネクタ製造方法。
【請求項７】
請求項６に記載の光コネクタ製造方法であって、
前記ラッチ機構によって固定されるまで前記第１部材に対して前記第２部材を回転させ、前記押圧部によって前記外被把持部材の端面を押圧することを特徴とする光コネクタ製造方法。
【請求項８】
請求項１〜７のいずれかに記載の光コネクタ製造方法であって、
前記第１部材は、前記外被把持部材を収容するための把持部材用収容部を有しており、
前記第２部材は、前記把持部材から延び出た前記光ケーブルを保持するケーブル保持部を有する
ことを特徴とする光コネクタ製造方法。
【請求項９】
請求項８に記載の光コネクタ製造方法であって、
前記第１部材の前記把持部材用収容部に前記外被把持部材を収容するとともに、前記第２部材の前記ケーブル保持部に前記光ケーブルを保持させた状態で、前記光ケーブルから口出しした光ファイバの加工を行うことを特徴とする光コネクタ製造方法。
【請求項１０】
請求項９に記載の光コネクタ製造方法であって、
前記光ファイバの加工後に、前記第１部材を前記第２部材に対して回転させ、前記第１部材から前記外被把持部材を外し、
前記第２部材の前記ケーブル保持部に前記光ケーブルを保持させた状態で、前記光コネクタ本体に前記外被把持部材を挿入する
ことを特徴とする光コネクタ製造方法。
【請求項１１】
請求項８〜１０のいずれかに記載の光コネクタ製造方法であって、
前記外被把持部材は、形状の異なる第１光ケーブルと第２光ケーブルを保持可能に構成されており、
前記ケーブル保持部は、前記第１光ケーブルと前記第２光ケーブルを保持可能に構成されている
ことを特徴とする光コネクタ製造方法。
【請求項１２】
請求項１１に記載の光コネクタ製造方法であって、
前記ケーブル保持部は、前記第１光ケーブルを収容するための直線溝と、前記第２光ケーブルを収容するために前記直線溝を横切るように蛇行した蛇行溝とを有することを特徴とする光コネクタ製造方法。
【請求項１３】
請求項１２に記載の光コネクタ製造方法であって、
前記ケーブル保持部は、前記直線溝と前記蛇行溝とを仕切る隔壁部と、前記隔壁部の前記直線溝の側の面に対向する位置に設けられた弾性片とを有しており、
前記直線溝に前記第１光ケーブルが収容されると、前記隔壁部と前記弾性片との間で前記第１光ケーブルが挟持される
ことを特徴とする光コネクタ製造方法。
【請求項１４】
請求項１３に記載の光コネクタ製造方法であって、
前記弾性片は、前記直線溝から見て左右両側に配置されていることを特徴とする光コネクタ製造方法。
【請求項１５】
請求項１〜１４のいずれかに記載の光コネクタ製造方法であって、
前記光コネクタ本体は、前記外被把持部材を固定するための係止爪部を有し、
前記外被把持部材は、前記係止爪部に係止される係止部と、抜去用凹部とを有し、
前記工具は、前記係止爪部と前記係止部との係止状態を解除する解除用突起と、前記抜去用凹部に引っ掛けて前記光コネクタ本体から前記外被把持部材を抜去するための抜去用突起とを有する
ことを特徴とする光コネクタ製造方法。
【請求項１６】
光ケーブルを保持した外被把持部材を光コネクタ本体に挿入するための工具であって、
第１部材と、
前記第１部材に対して回転可能に連結された第２部材と
を備え、
前記第１部材は、前記光コネクタ本体を収容する収容部を有し、
前記収容部は、前記光コネクタ本体と接触して前記光コネクタ本体の移動を規制する規制部を有し、
前記第２部材は、押圧部を有し、
前記外被把持部材が途中まで挿入された状態の前記光コネクタ本体を前記収容部に収容しつつ、前記第１部材に対して前記第２部材を回転させたときに、前記規制部に前記光コネクタ本体が接触しながら、前記押圧部が、前記外被把持部材の端面を押圧し、前記外被把持部材を前記光コネクタ本体に押し込むように構成されている
ことを特徴とする工具。
【発明の詳細な説明】
【技術分野】
【０００１】
本開示は、光コネクタ製造方法及び工具に関する。
【背景技術】
【０００２】
光ファイバの端面同士を突き合わせることによって光ファイバを接続する装置として、例えば現場組立型光コネクタが知られている。現場組立型光コネクタは、光ファイバ敷設現場において光ケーブルの端末に容易に組み立て可能な構造の光コネクタである。組立前の光コネクタのフェルールには、工場にて予め内蔵ファイバが取り付けられているとともに、内蔵ファイバの端部がクランプ部（メカニカルスプライス部）に配置されている。組み立て作業現場において、外被把持部材に光ケーブルの外被を把持させるとともに、光ケーブルから口出しされた挿入ファイバの端部がクランプ部に挿入され、クランプ部において光ファイバ同士が突き合わせ接続されることになる。
【０００３】
特許文献１〜３には、現場組立型光コネクタや、現場組立型光コネクタに用いられる把持部材等の構造が記載されている。特許文献１及び特許文献２記載の外被把持部材では、一対の側壁部の互いに対向する面に把持用突起が形成されており、把持用突起を光ケーブルの外被に食い込ませて、一対の側壁部の間に光ケーブルを把持固定させている。特許文献３には、光ファイバを保持した光ファイバ用治具を用いて現場組立型光コネクタを組み立てることが記載されている。
【先行技術文献】
【特許文献】
【０００４】
【特許文献１】国際公開第２０１３／１２９４８５号
【特許文献２】特開２００６−１７８２８９号公報
【特許文献３】特許第４２６７６２０号公報
【発明の概要】
【発明が解決しようとする課題】
【０００５】
現場組立型光コネクタでは、光ファイバ同士を突き合わせる際に、光ケーブルを把持させた外被把持部材を光コネクタ本体の内部へ挿入させることになる。このとき、外被把持部材が光コネクタ本体に十分に挿入されていないと、光ファイバ同士の突き合わせが不十分になるおそれがある。但し、外被把持部材の後端面を指で押せる領域は狭いため、外被把持部材を光コネクタ本体に十分に挿入する作業は困難である。特に、外被把持部材を光コネクタ本体に挿入させるのに力が必要となる場合には、外被把持部材を光コネクタ本体に挿入し難くなるため、光ファイバ同士の突き合わせが不十分になり易くなってしまう。
【０００６】
本発明の幾つかの実施形態は、外被把持部材を光コネクタ本体に挿入する作業を容易にすることを目的とする。
【課題を解決するための手段】
【０００７】
本発明の幾つかの実施形態は、光ケーブルを保持した外被把持部材を光コネクタ本体に挿入することによって光コネクタを組み立てる光コネクタ製造方法であって、前記光コネクタ本体を収容する収容部を有する第１部材と、前記第１部材に対して回転可能に連結された第２部材とを備えた工具を準備すること、前記光コネクタ本体に前記外被把持部材を途中まで挿入すること、前記光コネクタ本体を前記第１部材の収容部に収容すること、及び、前記第１部材に対して前記第２部材を回転させ、前記収容部の規制部に前記光コネクタ本体を接触させながら、前記第２部材の端部に設けられた押圧部によって前記外被把持部材の端面を押圧することによって、前記外被把持部材を前記光コネクタ本体に更に挿入することを行う。
【０００８】
その他の特徴については、後述する明細書及び図面の記載により明らかにする。
【発明の効果】
【０００９】
本発明の幾つかの実施形態によれば、外被把持部材を光コネクタ本体に挿入する作業が容易になる。
【図面の簡単な説明】
【００１０】
【図１】図１Ａは、光コネクタ１００の斜視図である。図１Ｂは、光コネクタ１００の分解斜視図である。
【図２】図２Ａ及び図２Ｂは、組立工具４０の斜視図である。
【図３】図３は、前側部材５０の斜視図である。
【図４】図４Ａは、後側部材６０の斜視図である。図４Ｂは、後側部材６０の別角度からの斜視図である。図４Ｃは、後側部材６０の上面図である。
【図５】図５は、光コネクタ１００の組立作業のフロー図である。
【図６】図６Ａ及び図６Ｂは、外被把持部材３０と角型ケーブル３Ａを組立工具４０にセットした様子の説明図である。
【図７】図７Ａ及び図７Ｂは、外被把持部材３０と丸型ケーブル３Ｂを組立工具４０にセットした様子の説明図である。
【図８】図８は、前側部材５０から外被把持部材３０を外した状態の説明図である。
【図９】図９Ａは、前側部材５０に光コネクタ本体１０をセットした様子の説明図である。図９Ｂは、後側部材６０の押圧部６２によって外被把持部材３０を前側に押し込む様子の説明図である。
【図１０】図１０は、第２実施形態の組立工具４０の説明図である。
【発明を実施するための形態】
【００１１】
後述する明細書及び図面の記載から、少なくとも以下の事項が明らかとなる。
【００１２】
光ケーブルを保持した外被把持部材を光コネクタ本体に挿入することによって光コネクタを組み立てる光コネクタ製造方法であって、前記光コネクタ本体を収容する収容部を有する第１部材と、前記第１部材に対して回転可能に連結された第２部材とを備えた工具を準備すること、前記光コネクタ本体に前記外被把持部材を途中まで挿入すること、前記光コネクタ本体を前記第１部材の収容部に収容すること、及び、前記第１部材に対して前記第２部材を回転させ、前記収容部の規制部に前記光コネクタ本体を接触させながら、前記第２部材の端部に設けられた押圧部によって前記外被把持部材の端面を押圧することによって、前記外被把持部材を前記光コネクタ本体に更に挿入することを行うことを特徴とする光コネクタ製造方法が明らかとなる。このような光コネクタ製造方法によれば、外被把持部材を光コネクタ本体に挿入する作業が容易になる。
【００１３】
前記押圧部には湾曲面が形成されており、前記第１部材に対して前記第２部材を回転させたとき、前記押圧部の前記湾曲面によって前記外被把持部材の端面が押圧されることが望ましい。これにより、外被把持部材を滑らかに押圧することができる。
【００１４】
前記第２部材の端部には、一対の押圧部が形成されており、前記第１部材に対して前記第２部材を回転させたとき、前記一対の押圧部によって、前記光ケーブルを挟持する前記外被把持部材の一対の側壁部の端面がそれぞれ押圧されることが望ましい。これにより、外被把持部材を均等に押圧することができる。
【００１５】
前記第１部材と前記第２部材とを回転可能に連結する連結部から見て前記押圧部とは反対側に配置された操作部に力を加えて、前記第１部材に対して前記第２部材を回転させることが望ましい。これにより、押圧部で外被把持部材を押し込む作業が容易になる。
【００１６】
前記連結部と前記操作部との距離は、前記連結部と前記押圧部との距離よりも長いことが望ましい。これにより、テコの原理を利用して、外被把持部材を押し込むことができる。
【００１７】
前記工具は、前記第１部材と前記第２部材との回転を固定するためのラッチ機構を有することが望ましい。これにより、工具を用いた作業が容易になる。
【００１８】
前記ラッチ機構によって固定されるまで前記第１部材に対して前記第２部材を回転させ、前記押圧部によって前記外被把持部材の端面を押圧することが望ましい。これにより、規定の挿入量まで外被把持部材を光コネクタ本体に挿入することができる。
【００１９】
前記第１部材は、前記外被把持部材を収容するための把持部材用収容部を有しており、前記第２部材は、前記外被把持部材から延び出た前記光ケーブルを保持するケーブル保持部を有することが望ましい。
【００２０】
前記第１部材の前記把持部材用収容部に前記外被把持部材を収容するとともに、前記第２部材の前記ケーブル保持部に前記光ケーブルを保持させた状態で、前記光ケーブルから口出しした光ファイバの加工を行うことが望ましい。これにより、光ファイバの加工が容易になる。
【００２１】
前記光ファイバの加工後に、前記第１部材を前記第２部材に対して回転させ、前記第１部材から前記外被把持部材を外し、前記第２部材の前記ケーブル保持部に前記光ケーブルを保持させた状態で、前記光コネクタ本体に前記外被把持部材を挿入することが望ましい。これにより、外被把持部材を光コネクタに挿入する作業が容易になる。
【００２２】
前記外被把持部材は、形状の異なる第１光ケーブルと第２光ケーブルを保持可能に構成されており、前記ケーブル保持部は、前記第１光ケーブルと前記第２光ケーブルを保持可能に構成されていることが望ましい。これにより、形状の異なる少なくとも２種類の光ケーブルに対応可能となる。
【００２３】
前記ケーブル保持部は、前記第１光ケーブルを収容するための直線溝と、前記第２光ケーブルを収容するために前記直線溝を横切るように蛇行した蛇行溝とを有することが望ましい。これにより、狭い領域に直線溝と蛇行溝の両方を形成できる。
【００２４】
前記ケーブル保持部は、前記直線溝と前記蛇行溝とを仕切る隔壁部と、前記隔壁部の前記直線溝の側の面に対向する位置に設けられた弾性片とを有しており、前記直線溝に前記第１光ケーブルが収容されると、前記隔壁部と前記弾性片との間で前記第１光ケーブルが挟持されることが望ましい。これにより、第１光ケーブルをケーブル保持部に保持することができる。
【００２５】
前記弾性片は、前記直線溝から見て左右両側に配置されていることが望ましい。これにより、第１光ケーブルを安定的に保持することができる。
【００２６】
前記光コネクタ本体は、前記外被把持部材を固定するための係止爪部を有し、前記外被把持部材は、前記係止爪部に係止される係止部と、抜去用凹部とを有し、前記工具は、前記係止爪部と前記係止部との係止状態を解除する解除用突起と、前記抜去用凹部に引っ掛けて前記光コネクタ本体から前記外被把持部材を抜去するための抜去用突起とを有することが望ましい。これにより、工具を用いて、光コネクタ本体から外被把持部材を抜去することができる。
【００２７】
光ケーブルを保持した外被把持部材を光コネクタ本体に挿入するための工具であって、第１部材と、前記第１部材に対して回転可能に連結された第２部材とを備え、前記第１部材は、前記光コネクタ本体を収容する収容部を有し、前記収容部は、前記光コネクタ本体と接触して前記光コネクタ本体の移動を規制する規制部を有し、前記第２部材は、押圧部を有し、前記外被把持部材が途中まで挿入された状態の前記光コネクタ本体を前記収容部に収容しつつ、前記第１部材に対して前記第２部材を回転させたときに、前記規制部に前記光コネクタ本体が接触しながら、前記押圧部が、前記外被把持部材の端面を押圧し、前記外被把持部材を前記光コネクタ本体に押し込むように構成されていることを特徴とする工具が明らかとなる。このような工具によれば、外被把持部材を光コネクタ本体に挿入する作業が容易になる。
【００２８】
＝＝＝第１実施形態＝＝＝
＜光コネクタ１００の基本構造＞
図１Ａは、光コネクタ１００の斜視図である。図１Ｂは、光コネクタ１００の分解斜視図である。
【００２９】
光コネクタ１００の説明では、図１Ａに示すように各方向を定義する。すなわち、光ケーブル３や光ファイバ４の光軸方向を「前後方向」とし、光コネクタ１００から光ケーブル３の延び出た側を「後」とし、逆側（光コネクタ１００のフェルール１３の端面側）を「前」とする。また、介挿部材１９の挿抜方向を「上下方向」とし、光コネクタ本体１０から見て介挿部材１９の側を「上」とし、逆側を「下」とする。また、前後方向及び上下方向に垂直な方向を「左右方向」とし、後側から前側を見たときの右側を「右」とし、左側を「左」とする。
【００３０】
光コネクタ１００は、メカニカルスプライス法により光ファイバ４を接続する現場組立型光コネクタであり、光ケーブル３の端末に組み立てられる光コネクタである。光コネクタ１００は、例えばＳＣ形光コネクタ（ＪＩＳ  Ｃ５９７３に制定されるＦ０４形光コネクタ）である。
【００３１】
光コネクタ１００には、光ケーブル３から口出しした光ファイバ４を接続できる。本実施形態では、光コネクタ１００に接続可能な光ケーブル３は、角型ケーブル３Ａ又は丸型ケーブル３Ｂである。なお、図１Ａでは、光コネクタ１００には角型ケーブル３Ａが接続されている。一方、丸型ケーブル３Ｂは、例えば図７Ａに示されている。光ケーブル３は、光コードと呼ばれるものも含む。
【００３２】
角型ケーブル３Ａは、断面矩形状の光ケーブルであり、例えばドロップケーブルやインドアケーブルである。角型ケーブル３Ａは、光ファイバ４及び一対の線状の抗張力体が外被で一括被覆された光ケーブルである。一対の抗張力体は、光ファイバ４を挟むように配置されている。一対の抗張力体が光ファイバ４を挟む方向が、角型ケーブル３Ａの断面の長辺方向になる。角型ケーブル３Ａの断面の長辺を構成する面には、外被分割用の工具の刃を入れるためのノッチが形成されている。角型ケーブル３Ａは、光ファイバ４と抗張力体を外被で一括被覆して構成されているため、比較的硬く構成されている。
【００３３】
丸型ケーブル３Ｂ（例えば図７Ａ参照）は、断面円形状の光ケーブルであり、光ファイバ４と外被との間に繊維状抗張力体５が配置された光ケーブルである。繊維状抗張力体５は、例えばケブラー（登録商標）である。丸型ケーブル３Ｂは、光ファイバ４と外被との間に介在物（例えば繊維状抗張力体５）の層があるため、外被が変形しやすく、比較的柔らかく構成されている。
【００３４】
光コネクタ１００は、光コネクタ本体１０と、介挿部材１９と、外被把持部材３０とを備えている。
【００３５】
光コネクタ本体１０は、前側ハウジング１１と、クランプ付きフェルール１２と、スプリング１５と、後側ハウジング１６とを備えている。
【００３６】
前側ハウジング１１及び後側ハウジング１６は、クランプ付きフェルール１２を収容するハウジングである。前側ハウジング１１は、後側ハウジング１６に取り付けられている。
【００３７】
クランプ付きフェルール１２は、スプリング１５によって後側ハウジング１６に対して前側に付勢されながら、後退可能にハウジングに収容されている。クランプ付きフェルール１２は、フェルール１３とクランプ部１４（メカニカルスプライス部）とを備えている。フェルール１３は、ここでは単心光コネクタに使用される円筒形状のフェルールである。内蔵ファイバ（不図示）の前側の端部は、フェルール１３に内挿固定されるとともに、フェルール１３とともに端面が研磨されている。内蔵ファイバの後側の端部は、クランプ部１４の調心溝に配置されている。クランプ部１４は、メカニカルスプライス法により内蔵ファイバと、光ケーブル３から口出しした光ファイバ４（挿入ファイバ）とを軸合わせ（調心）するとともに、内蔵ファイバと挿入ファイバとを付き合わせた状態で固定する部材（光ファイバ接続装置）である。
【００３８】
スプリング１５は、後退可能に収容されたフェルール１３を前側に付勢するための部材である。
【００３９】
後側ハウジング１６は、ストップリング部１７と固定部１８とを備えている。
ストップリング部１７は、ストップリングとしての機能を有する部位であり、スプリング１５の後端と接触している。
【００４０】
固定部１８は、外被把持部材３０を固定するための部位であり、光コネクタ本体１０の後側に設けられた部位である。固定部１８の内面で囲まれた空間が、外被把持部材３０を収容するための収容空間となる。この収容空間は、固定部１８の後端面で開口しており、この開口から外被把持部材３０を挿入することになる。固定部１８の内面は、外被把持部材３０を前後方向にスライドさせるスライド面となる。
【００４１】
固定部１８は、側面に係止爪部１８Ａを有している。係止爪部１８Ａは、固定部１８に外被把持部材３０を固定するための部位である。係止爪部１８Ａは、内面から内側に突出する爪（不図示）を有しており、固定部１８に外被把持部材３０を収容したときに、外被把持部材３０の係止部３２Ａに引っ掛かる（係止する）。係止爪部１８Ａが外被把持部材３０の係止部３２Ａを係止することにより、固定部１８に外被把持部材３０が固定され、固定部１８に収容された外被把持部材３０が後側に抜けることを防止できる。
【００４２】
また、固定部１８は、上面にスリット１８Ｂを有している。スリット１８Ｂは、前後方向に沿って形成された貫通穴である。スリット１８Ｂにリリース部６６（後述：図４Ａ参照）を挿入させると、リリース部６６の解除用突起６６Ａ（後述）が固定部１８の係止爪部１８Ａと外被把持部材３０の係止部３２Ａとの係止状態を解除するとともに、リリース部６６の抜去用突起６６Ｂ（後述）が外被把持部材３０の抜去用凹部３２Ｂに係合する。スリット１８Ｂが前後方向に沿って形成されているため、リリース部６６をスリット１８Ｂに挿入した状態でリリース部６６を後側に移動させることが可能である。
【００４３】
介挿部材１９は、光コネクタ本体１０のクランプ部１４（メカニカルスプライス部）の隙間を開閉させる部材である。光コネクタ本体１０の上面には挿通穴が形成されており、この挿通穴に、介挿部材１９の下側から延び出た介挿片（くさび）が挿通される。
【００４４】
外被把持部材３０は、光ケーブル３を保持可能な部材である。本実施形態では、外被把持部材３０は、角型ケーブル３Ａ及び丸型ケーブル３Ｂを保持可能である。図１Ｂでは、外被把持部材３０が角型ケーブル３Ａの外被を把持しているが、外被把持部材３０の前後を逆にすることによって、外被把持部材３０に丸型ケーブル３Ｂを保持させることが可能である。但し、外被把持部材３０が一種類の光ケーブル３（例えば角型ケーブル３Ａ又は丸型ケーブル３Ｂの一方）しか保持できないように構成されていても良い。
【００４５】
外被把持部材３０は、底壁部３１と一対の側壁部３２とによって断面略Ｕ字状に構成されている。この底壁部３１及び一対の側壁部３２によって囲まれた空間に、光ケーブル３及び光ファイバ４を挿通させつつ、光ケーブル３を保持させる。
【００４６】
外被把持部材３０は、角型ケーブル収容部３３と、丸型ケーブル収容部３４と、中央部３５とを有している。
【００４７】
角型ケーブル収容部３３は、角型ケーブル３Ａの外被部分を収容するための部位である。角型ケーブル収容部３３は、丸型ケーブル３Ｂの光ファイバ４を挿通させる部位にもなる。角型ケーブル収容部３３の一対の側壁部３２には、把持部が形成されている。把持部は、側壁部３２の内面から内側に突出し、上下方向に沿った凸条である。角型ケーブル３Ａの外被に把持部が食い込むことによって、角型ケーブル３Ａが外被把持部材３０から抜けにくくなる。
【００４８】
丸型ケーブル収容部３４は、丸型ケーブル３Ｂの外被部分を収容するための部位である。丸型ケーブル収容部３４は、角型ケーブル収容部３３の逆側に設けられている。これにより、外被把持部材３０の前後を逆にすることによって、外被把持部材３０に丸型ケーブル３Ｂを保持させることが可能である。丸型ケーブル収容部３４は、角型ケーブル３Ａの光ファイバ４を挿通させる部位にもなる。丸型ケーブル収容部３４の一対の側壁部３２にも、把持部が形成されている。
【００４９】
中央部３５は、角型ケーブル収容部３３と丸型ケーブル収容部３４との間の部位である。中央部３５の側壁部３２には、排出溝３５Ａが形成されている。排出溝３５Ａは、丸型ケーブル３Ｂの繊維状抗張力体５を側壁部３２の外側へ排出させるための溝である（例えば図７Ｂ参照）。排出溝３５Ａは、側壁部３２の上側の縁から形成された切り込み状の部位である。丸型ケーブル３Ｂの口出し部（外被の端部）を丸型ケーブル収容部３４に収容する際に、丸型ケーブル３Ｂの外被の端部から延び出ている繊維状抗張力体５を排出溝３５Ａから側壁部３２の外側へ排出させるとともに、外被把持部材３０の底壁部３１の下側に回り込ませることが可能である。これにより、外被把持部材３０の底壁部３１と固定部１８との間に繊維状抗張力体５を挟み込ませた状態で、固定部１８に外被把持部材３０を固定することができる。丸型ケーブル３Ｂは柔らかいため、丸型ケーブル収容部３４の把持部は、角型ケーブル収容部３３の把持部のように強固に外被に食い込ませることはできないが、外被把持部材３０の底壁部３１と固定部１８との間に繊維状抗張力体５を挟み込ませることによって、固定部１８に固定された外被把持部材３０から丸型ケーブル３Ｂが抜けることを抑制できる。
【００５０】
＜組立工具４０＞
図２Ａ及び図２Ｂは、組立工具４０の斜視図である。
【００５１】
組立工具４０の説明では、図２Ａに示すように各方向を定義する。すなわち、組立工具４０が外被把持部材３０と角型ケーブル３Ａを保持している使用状況下において（図６Ａ参照）、光ファイバ４の光軸方向を「前後方向」とし、組立工具４０から光ケーブル３の延び出る側を「後」とし、逆側（光ファイバ４の延び出る側）を「前」とする。また、組立工具４０への外被把持部材３０及び光ケーブル３の挿抜方向を「上下方向」とし、組立工具４０から見て外被把持部材３０及び光ケーブル３を差し込む側を「上」とし、逆側を「下」とする。また、前後方向及び上下方向に垂直な方向を「左右方向」とし、後側から前側を見たときの右側を「右」とし、逆側を「左」とする。
【００５２】
組立工具４０は、光コネクタ１００の組立時に用いられる工具である。なお、第１実施形態の組立工具４０は、光ファイバ４の加工時に外被把持部材３０を保持するホルダとしての機能も有する。
【００５３】
組立工具４０は、前側部材５０と、後側部材６０とを有する。前側部材５０及び後側部材６０は、回転軸５１を中心にして相対的に回転可能に連結されている（図２Ｂ参照）。
【００５４】
図３は、前側部材５０の斜視図である。前側部材５０は、光コネクタ本体１０（詳しくは固定部１８）に外被把持部材３０を挿入する際に、光コネクタ本体１０を押さえる機能を有する（図９Ａ参照：後述）。また、前側部材５０は、光ケーブル３から口出しした光ファイバ４の加工時に外被把持部材３０を保持する機能も有する（図６Ａ、図７Ａ参照：後述）。前側部材５０は、回転軸５１と、第１収容部５２と、第２収容部５３と、開口部５４と、挿通溝５５と、ラッチ爪５６とを有する。
【００５５】
回転軸５１は、前側部材５０と後側部材６０とを回転可能に連結する連結部であり、後側部材６０に対する前側部材５０の回転の中心軸となる部位である。回転軸５１は、左右方向に平行な軸状（棒状）の部位である。回転軸５１は、前側部材５０の後側に設けられている。
【００５６】
第１収容部５２は、光コネクタ本体１０を収容するための収容部である。本実施形態では、第１収容部５２は、後側ハウジング１６の固定部１８の一部（下部）を収容することになるが（図９Ａ参照：後述）、光コネクタ本体１０の他の部位を収容しても良い。また、第１収容部５２が、光コネクタ本体１０の一部だけを収容するのではなく、光コネクタ本体１０の全部を収容しても良い。
【００５７】
第１収容部５２は、前側規制部５２Ａを有する。前側規制部５２Ａは、光コネクタ本体１０と接触し、光コネクタ本体１０の前側への移動を規制（制限）する規制部である。前側規制部５２Ａは、第１収容部５２の前壁面によって構成されている。前側部材５０が前側規制部５２Ａを備えることによって、光コネクタ本体１０（詳しくは固定部１８）に外被把持部材３０を挿入する際に、光コネクタ本体１０がズレることを防止できる。言い換えると、前側規制部５２Ａは、光コネクタ本体１０の前側の位置決めを行う位置決め部となる。なお、本実施形態では、前側規制部５２Ａは、固定部１８の前側端面と接触することによって光コネクタ本体１０の前側への移動を規制することになるが（図９Ａ参照：後述）、光コネクタ本体１０の他の部位と接触することによって光コネクタ本体１０の前側への移動を規制しても良い。
【００５８】
第２収容部５３は、外被把持部材３０を収容するための収容部である。第２収容部５３は、光ケーブル３を保持した外被把持部材３０を収容することになる（図６Ａ、図７Ａ参照：後述）。なお、前側部材５０は、第２収容部５３を備えていなくても良い。
【００５９】
開口部５４は、第１収容部５２の後側を開口させた部位である。開口部５４は、前側部材５０の後壁部を凹状に形成することによって、構成されている。開口部５４には、後側部材６０の押圧部６２が配置されることになる（図２Ａ参照）。また、第１収容部５２に光コネクタ本体１０（詳しくは固定部１８）を収容したとき、開口部５４には、光コネクタ本体１０の後側から突出した外被把持部材３０が配置されることになる（図９Ｂ参照：後述）。
【００６０】
挿通溝５５は、光ファイバ４を挿通させるための溝である。挿通溝５５は、前側部材５０の前壁部の中央に前後方向に沿って形成されており、第２収容部５３の前側に位置する。第２収容部５３に外被把持部材３０を収容したとき、外被把持部材３０の保持する光ケーブル３から口出しした光ファイバ４を挿通溝５５に挿通させることになる（図６Ａ、図７Ａ参照：後述）。なお、前側部材５０が第２収容部５３を備えない場合には、前側部材５０に挿通溝５５が無くても良い。
【００６１】
ラッチ爪５６は、後側部材６０を固定するための部位である。本実施形態では、ラッチ爪５６は、後側部材６０の押圧部６２の側面に形成されたラッチ部６２Ｂ（後述：図４Ａ参照）に係合することによって、後側部材６０を固定する。このように、ラッチ爪５６は、ラッチ部６２Ｂとともにラッチ機構を構成する部位である。但し、ラッチ爪５６が後側部材６０の他の部位と係合しても良い。また、前側部材５０がラッチ爪５６を備えなくても良い。但し、前側部材５０がラッチ爪５６を備えることによって、図２Ａに示す状態で後側部材６０を固定することができるため、光コネクタ１００の組立作業が容易になる。
【００６２】
図４Ａは、後側部材６０の斜視図である。図４Ｂは、後側部材６０の別角度からの斜視図である。図４Ｃは、後側部材６０の上面図である。後側部材６０は、光コネクタ本体１０（詳しくは固定部１８）に外被把持部材３０を挿入する際に外被把持部材３０を押圧する機能を有する（図９Ｂ参照：後述）。また、第１実施形態の後側部材６０は、光ケーブル３を保持する機能も有する（図６Ａ、図７Ａ参照：後述）。後側部材６０は、軸受部６１と、押圧部６２と、ケーブル保持部６３とを有する。
【００６３】
軸受部６１は、前側部材５０の回転軸５１ともに前側部材５０と後側部材６０とを回転可能に連結する連結部を構成する部位であり、前側部材５０の回転軸５１を回転可能に支持する部位である。軸受部６１は、後側部材６０の前側に構成されている。また、軸受部６１は、後側部材６０の下面において回転軸５１を着脱可能に構成されている。但し、着脱可能に軸受部６１及び回転軸５１を構成しなくても良い。また、前側部材５０に軸受部６１を形成し、後側部材６０に回転軸５１を形成しても良い。
【００６４】
押圧部６２は、光コネクタ本体１０の固定部１８に外被把持部材３０を挿入する際に外被把持部材３０を押圧するための部位である。押圧部６２は、後側部材６０の前側に突出して形成されている。図２Ａに示す状態では、押圧部６２は、前側部材５０の開口部５４の内側に配置される。
【００６５】
後側部材６０は、一対の押圧部６２を有している。一対の押圧部６２は、左右方向に並んでおり、外被把持部材３０の一対の側壁部３２の後端面をそれぞれ押圧することになる（後述：図９Ｂ参照）。外被把持部材３０の一対の側壁部３２をそれぞれ押圧できるため、外被把持部材３０を均等に押圧することができる。一対の押圧部６２の間には、外被把持部材３０から後側に延び出た光ケーブル３が挿通されることになる（例えば図６Ａ、図７Ａ、図９Ａ参照）。
【００６６】
押圧部６２は、軸受部６１（連結部）よりも前側に突出して形成されている。これにより、図２Ｂに示すように前側部材５０に対して後側部材６０を回転させると、前側部材５０の開口部５４から押圧部６２を外すことができる。また、図２Ｂから図２Ａに示す状態へ後側部材６０を回転させたとき、押圧部６２の前縁が前側へ移動するように押圧部６２が前側部材５０の開口部５４に入り込むことになる。これにより、押圧部６２の前縁によって外被把持部材３０の後端面を前側へ押圧することができる（図９Ｂ参照：後述）。
【００６７】
押圧部６２は、湾曲面６２Ａを有している。湾曲面６２Ａは、下側（軸受部６１の側）に凸状に湾曲した面になっている。押圧部６２が湾曲面６２Ａを有することにより、外被把持部材３０を滑らかに押圧することができる。
【００６８】
押圧部６２の側面には、ラッチ部６２Ｂが形成されている。ラッチ部６２Ｂは、前側部材５０のラッチ爪５６と係合し、これにより後側部材６０が前側部材５０に対して固定される。
【００６９】
ケーブル保持部６３は、光ケーブル３を保持する部位である。本実施形態では、ケーブル保持部６３は、角型ケーブル３Ａ及び丸型ケーブル３Ｂの両方を保持可能である。但し、ケーブル保持部６３が一種類の光ケーブル３しか保持できないように構成されていても良い。また、後側部材６０が外被把持部材３０を押圧する機能だけを有し、光ケーブル３を保持する機能が不要な場合には、後側部材６０がケーブル保持部６３を備えていなくても良い。
【００７０】
ケーブル保持部６３は、直線溝６３１と、蛇行溝６３２と、隔壁部６３３と、弾性片６３４とを有する。
【００７１】
直線溝６３１は、角型ケーブル３Ａを収容するための直線状の溝である（図６Ａ及び図６Ｂも参照）。直線溝６３１は、後側部材６０の左右中央部を前後方向にわたって形成されている。直線溝６３１は上側が開放されているため、上側から角型ケーブル３Ａを直線溝６３１に差し込むことが可能である。直線溝６３１に角型ケーブル３Ａを収容すると、角型ケーブル３Ａが左右から挟持されて、角型ケーブル３Ａが組立工具４０に保持されることになる。
【００７２】
蛇行溝６３２は、丸型ケーブル３Ｂを収容するための溝である（図７Ａ及び図７Ｂも参照）。丸型ケーブル３Ｂは柔らかいので、角型ケーブル３Ａのように直線溝６３１によって丸型ケーブル３Ｂを左右から挟持しても十分な保持力が得られ難いため、本実施形態では、蛇行溝６３２に丸型ケーブル３Ｂを蛇行させて収容することによって、丸型ケーブル３Ｂの保持力を高めている。蛇行溝６３２は、直線溝６３１を横切るように左右にジグザグに形成されている。これにより、狭い領域に直線溝６３１と蛇行溝６３２の両方を形成できる。
【００７３】
隔壁部６３３は、直線溝６３１と蛇行溝６３２とを仕切る壁状の部位である。隔壁部６３３の一方の面は、直線溝６３１を構成する平面となる。隔壁部６３３の他方の面は、蛇行溝６３２を構成する湾曲面を有する。
【００７４】
弾性片６３４は、直線溝６３１に収容された角型ケーブル３Ａを保持するための部位である。弾性片６３４は、隔壁部６３３の平面に対向する位置に形成されており、隔壁部６３３との間で角型ケーブル３Ａを挟持する。弾性片６３４が弾性変形するため、直線溝６３１に角型ケーブル３Ａを収容させやすくなる。
【００７５】
弾性片６３４は、後側部材６０の左右の壁部の内面から直線溝６３１に向かって突設されている。弾性片６３４は、ここでは薄板形状をしているが、棒状、柱状などの他の形状でも良い。但し、弾性片６３４の上下方向の寸法は、角型ケーブル３Ａの上下方向の寸法よりも大きいことが望ましい。これにより、角型ケーブル３Ａに対する保持力が向上する。
【００７６】
弾性片６３４は、先端部６３４Ｂが基端部６３４Ａに対して前側に位置するように、前後方向に対して傾斜して配置されている。これにより、前側部材５０に外被把持部材３０を収容させつつ後側部材６０に角型ケーブル３Ａを収容したときに（図６Ａ参照：後述）、外被把持部材３０及び角型ケーブル３Ａが後側に移動することを抑制しつつ、外被把持部材３０及び光ケーブル３が前側に移動することを許容することができる。この結果、組立工具４０に対する外被把持部材３０の前側の位置決めを行い易くなる。
【００７７】
弾性片６３４の先端部６３４Ｂと隔壁部６３３の平面との間隔（左右方向の隙間）は、角型ケーブル３Ａの幅（左右方向の寸法）よりも狭く設定されている。これにより、角型ケーブル３Ａが直線溝６３１に収容されると、弾性片６３４が弾性変形するとともに（図６Ｂ参照）、弾性片６３４の復元力によって角型ケーブル３Ａが隔壁部６３３との間で挟持されることになる。なお、弾性片６３４の先端部６３４Ｂは、角型ケーブル３Ａの損傷を抑制するために、丸みを帯びていることが望ましい。
【００７８】
複数の弾性片６３４が前後方向に間隔をあけて配置されている。これにより、角型ケーブル３Ａにかかる力を分散させることができ、角型ケーブル３Ａを安定的に保持することができる。
【００７９】
弾性片６３４は、直線溝６３１から見て、蛇行溝６３２（若しくは隔壁部６３３）の側とは左右反対側に形成されている。これにより、狭い領域に直線溝６３１及び蛇行溝６３２とともに弾性片６３４を効率よく配置できる。
【００８０】
弾性片６３４は、直線溝６３１から見て、左右のいずれの側にも設けられていることが望ましい。これにより、直線溝６３１から見て左右片側のみに弾性片６３４が設けられている場合と比べて、角型ケーブル３Ａを安定的に保持することができる。
【００８１】
後側部材６０は、更に排出溝６４と、操作部６５と、リリース部６６とを有する。
【００８２】
排出溝６４は、丸型ケーブル３Ｂの繊維状抗張力体５を外部に排出させるための溝である（例えば図７Ｂ参照）。丸型ケーブル３Ｂの繊維状抗張力体５を排出溝６４から外部に排出させることにより、繊維状抗張力体５が邪魔にならずに済む。
【００８３】
操作部６５は、後側部材６０を前側部材５０に対して回転させる際に後側部材６０を操作する部位（力を加える部位）である。後側部材６０の下面に凹状部が形成されており、後側部材６０の操作時に、作業者の指を凹状部の後部に引っ掛けやすくなっている。つまり、後側部材６０の下面の凹状部の後部が、操作部６５となる。但し、操作部６５の形状は、これに限られるものではない。
操作部６５は、回転軸５１から見て押圧部６２とは反対側に配置されている。これにより、前側部材５０に対して後側部材６０を回転させ、押圧部６２で外被把持部材３０を押し込む作業が容易になる。
操作部６５と回転軸５１との距離は、押圧部６２と回転軸５１との距離よりも長い。これにより、押圧部６２によって外被把持部材３０を光コネクタ本体１０に押圧するときに、てこの原理を利用して、小さな力で外被把持部材３０を押し込むことができる。
【００８４】
リリース部６６は、光コネクタ本体１０（詳しくは固定部１８）に固定されている外被把持部材３０を抜去するための部位である。リリース部６６は、解除用突起６６Ａと、抜去用突起６６Ｂとを有する。光コネクタ本体１０の固定部１８のスリット１８Ｂ（図１Ａ及び図１Ｂ参照）にリリース部６６を挿入させると、解除用突起６６Ａが固定部１８の係止爪部１８Ａと外被把持部材３０の係止部３２Ａとの係合を解除するとともに、抜去用突起６６Ｂが外被把持部材３０の抜去用凹部３２Ｂに係合する。そして、リリース部６６をスリット１８Ｂに挿入した状態でリリース部６６を後側に移動させることによって、抜去用突起６６Ｂを外被把持部材３０の抜去用凹部３２Ｂに引っ掛けて、固定部１８から外被把持部材３０を抜去することができる。なお、後側部材６０の側面には、外被把持部材３０の抜去時にリリース部６６を移動させるべき方向が矢印で示されている。
【００８５】
＜光コネクタ１００の組立作業＞
図５は、光コネクタ１００の組立作業のフロー図である。
【００８６】
まず、作業者は、光ケーブル３（角型ケーブル３Ａ又は丸型ケーブル３Ｂ）から光ファイバ４を口出し（Ｓ００１）、光ケーブル３を外被把持部材３０にセットする（Ｓ００２）。
【００８７】
角型ケーブル３Ａを外被把持部材３０にセットする場合には、外被把持部材３０の角型ケーブル収容部３３に角型ケーブル３Ａの外被を収容する。このとき、角型ケーブル収容部３３の把持部が角型ケーブル３Ａの外被に食い込むため、角型ケーブル３Ａが外被把持部材３０から抜けにくくなる。
【００８８】
丸型ケーブル３Ｂを外被把持部材３０にセットする場合には、外被把持部材３０の前後を逆にして、丸型ケーブル収容部３４に丸型ケーブル３Ｂの外被の端部を収容させて、外被把持部材３０に丸型ケーブル３Ｂを保持させる。また、丸型ケーブル３Ｂの口出し部（外被の端部）からは繊維状抗張力体５が延び出ているため、作業者は、繊維状抗張力体５を排出溝３５Ａから側壁部３２の外側へ排出させるとともに、外被把持部材３０の底壁部３１の下側に回り込ませる。
【００８９】
次に、作業者は、外被把持部材３０と光ケーブル３を組立工具４０にセットする（Ｓ００３）。このとき、作業者は、予め前側部材５０のラッチ爪５６（図２Ｂ参照）に後側部材６０のラッチ部６２Ｂを係合させることによって、図２Ａに示すように前側部材５０に対して後側部材６０を固定し、組立工具４０を準備しておく。
【００９０】
図６Ａ及び図６Ｂは、外被把持部材３０と角型ケーブル３Ａを組立工具４０にセットした様子の説明図である。図示の通り、作業者は、前側部材５０の第２収容部５３に外被把持部材３０をセットする。また、図示の通り、作業者は、後側部材６０の直線溝６３１に角型ケーブル３Ａをセットする。角型ケーブル３Ａが直線溝６３１に収容されると、弾性片６３４が弾性変形し（図６Ｂ参照）、弾性片６３４の復元力によって角型ケーブル３Ａが隔壁部６３３との間で挟持される。
【００９１】
図７Ａ及び図７Ｂは、外被把持部材３０と丸型ケーブル３Ｂを組立工具４０にセットした様子の説明図である。図示の通り、作業者は、前側部材５０の第２収容部５３に外被把持部材３０をセットする。また、図示の通り、作業者は、後側部材６０の蛇行溝６３２に丸型ケーブル３Ｂをセットする。丸型ケーブル３Ｂは柔らかいので、角型ケーブル３Ａのように直線溝６３１によって丸型ケーブル３Ｂを左右から挟持しても十分な保持力が得られ難いため、蛇行溝６３２に丸型ケーブル３Ｂを蛇行させて収容することによって、丸型ケーブル３Ｂの保持力を高めている。
なお、既に説明したように、Ｓ００２の作業時において、丸型ケーブル３Ｂの口出し部（外被の端部）から延び出た繊維状抗張力体５は、外被把持部材３０の排出溝３５Ａから外側に排出させるとともに、外被把持部材３０の底壁部３１の下側に回り込ませている。作業者は、丸型ケーブル３Ｂを組立工具４０にセットする際に、図７Ａ及び図７Ｂに示すように、丸型ケーブル３Ｂの繊維状抗張力体５を、後側部材６０の一対の押圧部６２の間を経由して排出溝６４から外部に排出させる。これにより、丸型ケーブル３Ｂを蛇行溝６３２にセットする際に、繊維状抗張力体５が邪魔にならずに済む。また、これにより、外被把持部材３０を光コネクタ本体１０の固定部１８に挿入する作業時に（後述：Ｓ００７）、繊維状抗張力体５が邪魔にならずに済む。
【００９２】
外被把持部材３０と光ケーブル３を組立工具４０にセットすると、光ケーブル３から口出しした光ファイバ４が、前側部材５０の挿通溝５５から前側に延び出ることになる（図６Ａ及び図７Ａ参照）。
【００９３】
次に、作業者は、光ケーブル３から口出しした光ファイバ４の端部の被覆を除去し（Ｓ００４）、光ファイバ４の端部をカットする（Ｓ００５）。これにより、所定寸法の光ファイバ４（裸光ファイバ部４Ａ及び被覆部４Ｂ）が外被把持部材３０から前側に延び出るとともに、所定寸法の裸光ファイバ部４Ａが光ファイバ４の端部に設けられる。なお、作業者は、外被把持部材３０と光ケーブル３が組立工具４０にセットされた状態で、光ファイバ４の加工（Ｓ００４の被覆除去や、Ｓ００５の端部カット）を行う。
【００９４】
次に、作業者は、外被把持部材３０を光コネクタ本体１０の固定部１８に挿入するために、前側部材５０から外被把持部材３０を外す（Ｓ００６）。図８は、前側部材５０から外被把持部材３０を外した状態の説明図である。
【００９５】
図示の通り、作業者は、後側部材６０に光ケーブル３を保持させたまま、前側部材５０から外被把持部材３０を外すことになる。この段階では、光ケーブル３が後側部材６０に保持された状態なので、外被把持部材３０を光コネクタ本体１０の固定部１８に挿入する作業（後述：Ｓ００７）が容易になる。
【００９６】
また、図示の通り、前側部材５０と後側部材６０とが回転可能に連結されているため、回転軸５１を中心にして前側部材５０を後側部材６０に対して回転させれば、後側部材６０に連結させた状態で、前側部材５０から外被把持部材３０を外すことが可能である。このため、前側部材５０と後側部材６０とを分離させずに、後側部材６０に光ケーブル３を保持させた状態で、前側部材５０から外被把持部材３０を外すことが可能である。
【００９７】
なお、図８では光ケーブル３が角型ケーブル３Ａであるが、光ケーブル３が丸型ケーブル３Ｂの場合においても、同様に、図７Ａに示す状態から回転軸５１を中心にして前側部材５０を後側部材６０に対して回転させれば、後側部材６０に連結させた状態で前側部材５０から外被把持部材３０を外すことが可能である。
【００９８】
次に、作業者は、外被把持部材３０を光コネクタ本体１０の固定部１８に挿入する（Ｓ００７）。外被把持部材３０を光コネクタ本体１０に挿入すると、光ケーブル３から口出しされた光ファイバ４の端部がクランプ部１４（図１Ｂ参照）に挿入され、クランプ部１４において光ファイバ４と内蔵ファイバ（不図示）とが突き合わせ接続されることになる。本実施形態では、図８に示すように光ケーブル３が後側部材６０に保持された状態であるため、外被把持部材３０を光コネクタ本体１０の固定部１８に挿入する作業が容易である。
【００９９】
ところで、外被把持部材３０が光コネクタ本体１０に十分に挿入されていないと、光ファイバ同士の突き合わせが不十分になるおそれがある。但し、Ｓ００７の段階では、外被把持部材３０が光コネクタ本体１０に途中までしか挿入されていなくても良い。このため、外被把持部材３０を十分挿入させなければならない作業と比べると、Ｓ００７の作業は容易である。
【０１００】
次に、作業者は、後側部材６０から光ケーブル３を外す（Ｓ００８）。この段階で、組立工具４０は、外被把持部材３０や光ケーブル３から一旦外れることになる。
【０１０１】
次に、作業者は、前側部材５０の第１収容部５２に光コネクタ本体１０をセットする（Ｓ００９）。図９Ａは、前側部材５０に光コネクタ本体１０をセットした様子の説明図である。
第１収容部５２の前壁面は前側規制部５２Ａとなっており（図３参照）、前側部材５０の第１収容部５２に光コネクタ本体１０をセットすると、光コネクタ本体１０の固定部１８の前側端面が前側規制部５２Ａに接触する（光コネクタ本体１０が位置決めされることになる）。
【０１０２】
次に、作業者は、図９Ａに示す状態から回転軸５１を中心にして後側部材６０を前側部材５０に対して回転させ、後側部材６０の押圧部６２によって外被把持部材３０を前側に押し込むことによって、外被把持部材３０を光コネクタ本体１０へ押し込む（Ｓ０１０）。図９Ｂは、後側部材６０の押圧部６２によって外被把持部材３０を前側に押し込む様子の説明図である。
【０１０３】
前述のＳ００７において外被把持部材３０が光コネクタ本体１０に途中までしか挿入されていないため、図９Ｂに示すように、外被把持部材３０が光コネクタ本体１０（詳しくは固定部１８）から後側に若干突出した状態になっている。回転軸５１を中心にして後側部材６０を前側部材５０に対して回転させると、押圧部６２が前側部材５０の開口部５４に入り込み、押圧部６２の前縁が外被把持部材３０の後端面に接触する。押圧部６２の前縁が外被把持部材３０の後端面に接触した後、更に作業者が後側部材６０を前側部材５０に対して回転させると、押圧部６２の前縁が前側へ移動し、押圧部６２の前縁によって外被把持部材３０の後端面を前側へ押圧することができる。このとき、前側部材５０の前側規制部５２Ａが光コネクタ本体１０（詳しくは固定部１８）に接触し、光コネクタ本体１０の前側への移動が規制された状態であるため、外被把持部材３０を光コネクタ本体１０に押し込むことができる。本実施形態では、外被把持部材３０の後端面を指で押し込む代わりに、後側部材６０を前側部材５０に対して回転させれば良いだけなので、外被把持部材３０を光コネクタ本体１０に挿入する作業が容易になる。
【０１０４】
本実施形態では、作業者は、光コネクタ本体１０の前側への移動が規制された状態で、後側部材６０のラッチ部６２Ｂが前側部材５０のラッチ爪５６に係合するまで後側部材６０を前側部材５０に対して回転させる。これにより、規定の挿入量まで外被把持部材３０を光コネクタ本体１０の固定部１８に挿入することができるため、外被把持部材３０を光コネクタ本体１０に十分に挿入させることができる。なお、外被把持部材３０を光コネクタ本体１０に十分に挿入されると、光ケーブル３の光ファイバ４の端面が内蔵ファイバ（不図示）と突き合わされた状態になり、光コネクタ本体１０の内部で光ファイバ４が若干撓んだ状態になる。
【０１０５】
また、本実施形態では、押圧部６２の湾曲面６２Ａ（図４Ｂ参照）が外被把持部材３０の後端面と接触し、押圧部６２の湾曲面６２Ａによって外被把持部材３０の後端面を前側へ押圧している。これにより、後側部材６０を前側部材５０に対して回転させたとき、外被把持部材３０を滑らかに押圧することができる。
【０１０６】
外被把持部材３０を光コネクタ本体１０に挿入した後（Ｓ０１０の後）、作業者は、組立工具４０から光コネクタ本体１０を外し（Ｓ０１１）、光コネクタ本体１０から介挿部材１９を外す（Ｓ０１２）。介挿部材１９が外されると、光ケーブル３の光ファイバ４と内蔵ファイバ（不図示）とが固定される。これにより、光コネクタ１００の組立作業が完了する（光コネクタ１００の製造作業が完了する）。
【０１０７】
＝＝＝第２実施形態＝＝＝
図１０は、第２実施形態の組立工具４０の説明図である。
【０１０８】
第２実施形態の組立工具４０は、前側部材５０と後側部材６０とを有する。前側部材５０及び後側部材６０は、回転軸５１を中心にして相対的に回転可能に連結されている。
【０１０９】
前側部材５０は、光コネクタ本体１０を収容する収容部５２を有する。収容部５２は、光コネクタ本体１０と接触して光コネクタ本体１０の前側への移動を規制（制限）する前側規制部５２Ａを有する。なお、第２実施形態の前側部材５０は、外被把持部材３０を収容するための収容部（第２収容部５３）を備えていない。
【０１１０】
後側部材６０は、端部に押圧部６２を有する。なお、第２実施形態の後側部材６０は、ケーブル保持部６３を備えていない。また、第２実施形態の後側部材６０は、操作部６５やリリース部６６なども備えていない。
【０１１１】
第２実施形態では、作業者は、光コネクタ１００の組立作業時に、図中の組立工具４０を準備することになる。但し、第２実施形態では、作業者は、図中の組立工具４０を用いずに、外被把持部材３０に保持された光ケーブル３の光ファイバ４の被覆を除去し、光ファイバ４の端部をカットする。また、作業者は、図中の組立工具４０を用いずに、光コネクタ本体１０に外被把持部材３０を途中まで挿入する。
【０１１２】
その後、作業者は、図に示す通り、外被把持部材３０が途中まで挿入された状態の光コネクタ本体１０を前側部材５０の収容部５２に収容する。図に示す状態で作業者が前側部材５０に対して後側部材６０を回転させると、前側部材５０の前側規制部５２Ａに光コネクタ本体１０の固定部１８の前側端面が接触しながら、後側部材６０の押圧部６２が、外被把持部材３０の後端面を押圧し、外被把持部材３０が光コネクタ本体１０に押し込まれることになる。
【０１１３】
＝＝＝小括＝＝＝
上記の実施形態によれば、光コネクタ本体１０を収容する収容部５２を有する前側部材５０（第１部材に相当）と、前側部材５０に対して回転可能に連結された後側部材６０（第２部材に相当）とを備えた組立工具４０（工具に相当）を準備し、光コネクタ本体１０に外被把持部材３０を途中まで挿入し、光コネクタ本体１０を収容部５２に収容することが行われる（例えば図９Ａや図１０参照）。そして、上記の実施形態によれば、前側部材５０に対して後側部材６０を回転させ、前側規制部５２Ａに光コネクタ本体１０を接触させながら、後側部材６０の端部に設けられた押圧部６２によって外被把持部材３０の後端面を押圧することによって、外被把持部材３０を光コネクタ本体１０に更に挿入する（例えば図９Ｂや図１０参照）。これにより、指で外被把持部材３０を光コネクタ本体１０に押し込む場合と比べて、外被把持部材３０を光コネクタ本体１０に挿入する作業を容易にすることができる。
【０１１４】
また、上記の実施形態によれば、押圧部６２には湾曲面６２Ａが形成されており、前側部材５０に対して後側部材６０を回転させたとき、押圧部６２の湾曲面６２Ａによって外被把持部材３０の後端面が押圧される。これにより、外被把持部材３０を滑らかに押圧することができる。但し、押圧部６２に湾曲面６２Ａを形成しないことも可能である。
【０１１５】
また、上記の実施形態によれば、後側部材６０の端部には一対の押圧部６２が形成されており、一対の押圧部６２によって、外被把持部材３０の一対の側壁部３２の後端面がそれぞれ押圧されている。これにより、外被把持部材３０を均等に押圧することができる。但し、後側部材６０の端部の押圧部６２が１つだけであっても、外被把持部材３０の後端面を押圧することは可能である。
【０１１６】
また、上記の第１実施形態によれば、回転軸５１（第１部材と第２部材とを回転可能に連結する連結部に相当）から見て押圧部６２とは反対側に操作部６５が配置されており、操作部６５に力を加えて後側部材６０を前側部材５０に対して回転させる。これにより、前側部材５０に対して後側部材６０を回転させ、押圧部６２で外被把持部材３０を押し込む作業が容易になる。なお、第２実施形態のように後側部材６０に操作部６５を形成しなくても良い。
【０１１７】
また、上記の第１実施形態によれば、回転軸５１（第１部材と第２部材とを回転可能に連結する連結部に相当）と操作部６５との距離は、回転軸５１と押圧部６２との距離よりも長い。これにより、てこの原理を利用して、外被把持部材３０を押し込むことができる。
【０１１８】
また、上記の実施形態によれば、組立工具４０（工具に相当）は、前側部材５０と後側部材６０との回転を固定するためのラッチ機構（ラッチ爪５６及びラッチ部６２Ｂ）を有する。これにより、組立工具４０を用いた作業が容易になる。なお、組立工具４０がラッチ機構を備えていなくても良い。
【０１１９】
また、上記の実施形態によれば、ラッチ機構（ラッチ爪５６及びラッチ部６２Ｂ）によって固定されるまで後側部材６０を前側部材５０に対して回転させ、押圧部６２によって外被把持部材３０の端面を押圧する。これにより、規定の挿入量まで外被把持部材３０を光コネクタ本体１０に挿入することができる。
【０１２０】
また、上記の第１実施形態によれば、前側部材５０は、外被把持部材３０を収容するための第２収容部５３（把持部材用収容部に相当）を有しており、後側部材６０は、外被把持部材３０から延び出た光ケーブル３を保持するケーブル保持部６３を有する。但し、第２実施形態に示すように、第２収容部５３やケーブル保持部６３が無くても良い。
【０１２１】
また、上記の第１実施形態によれば、第２収容部５３に外被把持部材３０を収容するとともに、ケーブル保持部６３に光ケーブル３を保持させた状態で、光ファイバ４の加工（被覆除去や端部カット）を行う。これにより、光ファイバ４の加工が容易になる。
【０１２２】
また、上記の第１実施形態によれば、光ファイバ４の加工後に、前側部材５０を後側部材６０に対して回転させ、前側部材５０から外被把持部材３０を外し（図５のＳ００６、図８参照）、ケーブル保持部６３に光ケーブル３を保持させた状態で、光コネクタ本体１０に外被把持部材３０を挿入している。これにより、外被把持部材３０を光コネクタ本体１０に挿入する作業が容易になる。
【０１２３】
また、上記の第１実施形態によれば、外被把持部材３０は、形状の異なる角型ケーブル３Ａ（第１光ケーブルに相当）と丸型ケーブル３Ｂ（第２光ケーブルに相当）を保持可能に構成されており、ケーブル保持部６３は、角型ケーブル３Ａと丸型ケーブル３Ｂの両方を保持可能に構成されている。これにより、形状の異なる少なくとも２種類の光ケーブル３に対応可能となる。
【０１２４】
また、上記の第１実施形態によれば、ケーブル保持部６３は、直線溝６３１と、直線溝６３１を横切るように蛇行した蛇行溝６３２とを有する。これにより、狭い領域に直線溝６３１と蛇行溝６３２の両方を形成できる。
【０１２５】
また、上記の第１実施形態によれば、ケーブル保持部６３は、隔壁部６３３と弾性片６３４とを有しており、直線溝６３１に角型ケーブル３Ａが収容されると、隔壁部６３３と弾性片６３４との間で角型ケーブル３Ａが挟持される。これにより、角型ケーブル３Ａをケーブル保持部６３に保持することができる。
【０１２６】
また、上記の第１実施形態によれば、弾性片６３４は、直線溝６３１から見て左右両側に配置されている。これにより、角型ケーブル３Ａを安定的に保持することができる。
【０１２７】
また、上記の第１実施形態によれば、光コネクタ本体１０は係止爪部１８Ａを有し、外被把持部材３０は係止部３２Ａと抜去用凹部３２Ｂとを有しており、係止爪部１８Ａが係止部３２Ａを係止することにより、光コネクタ本体１０に外被把持部材３０が固定される。一方、組立工具４０は、解除用突起６６Ａと抜去用突起６６Ｂとを有している。これにより、組立工具４０を用いて、係止爪部１８Ａと係止部３２Ａとの係止状態を解除するとともに、抜去用凹部３２Ｂに抜去用突起６６Ｂを引っ掛けて、光コネクタ本体１０から外被把持部材３０を抜去することができる。但し、第２実施形態のように組立工具４０がリリース部６６を備えていなくても良い。
【０１２８】
上記の実施形態によれば、組立工具４０（工具に相当）は、前側部材５０（第１部材に相当）と、前側部材５０に対して回転可能に連結された後側部材６０（第２部材に相当）とを備え、前側部材５０は、光コネクタ本体１０を収容する収容部５２を有しており、その収容部５２は前側規制部５２Ａを有しており、後側部材６０は、押圧部６２を有している。そして、上記の実施形態によれば、外被把持部材３０が途中まで挿入された状態の光コネクタ本体１０を収容部５２に収容しつつ（図９Ａや図１０参照）、前側部材５０に対して後側部材６０を回転させたときに、前側規制部５２Ａに光コネクタ本体１０が接触しながら、押圧部６２が、外被把持部材３０の後端面を押圧し、外被把持部材３０を光コネクタ本体１０に押し込むように構成されている。これにより、外被把持部材３０を光コネクタ本体１０に挿入する作業が容易になる。
【０１２９】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【０１３０】
３  光ケーブル、
３Ａ  角型ケーブル（第１光ケーブル）、
３Ｂ  丸型ケーブル（第２光ケーブル）、
４  光ファイバ、４Ａ  裸光ファイバ、４Ｂ  被覆部、
５  繊維状抗張力体、
１０  光コネクタ本体、１１  前側ハウジング、
１２  クランプ付きフェルール、１３  フェルール、
１４  クランプ部、１５  スプリング、
１６  後側ハウジング、１７  ストップリング部、
１８  固定部、１８Ａ  係止爪部、
１８Ｂ  スリット、１９  介挿部材、
３０  外被把持部材（把持部材）、
３１  底壁部、３２  側壁部、
３２Ａ  係止部、３２Ｂ  抜去用凹部、
３３  角型ケーブル収容部、３４  丸型ケーブル収容部、
３５  中央部、３５Ａ  排出溝、
４０  組立工具（工具）、
５０  前側部材（第１部材）、５１  回転軸（連結部）、
５２  第１収容部（収容部）、５２Ａ  前側規制部、
５３  第２収容部（把持部材用収容部）、５４  開口部、
５５  挿通溝、５６  ラッチ爪、
６０  後側部材（第２部材）、６１  軸受部（連結部）、
６２  押圧部、６２Ａ  湾曲面、６２Ｂ  ラッチ部、
６３  ケーブル保持部、
６３１  直線溝（角型ケーブル収容部）、
６３２  蛇行溝（丸型ケーブル収容部）、
６３３  隔壁部、６３４  弾性片、
６３４Ａ  基端部、６３４Ｂ  先端部、
６４  排出溝、６５  操作部、６６  リリース部、
６６Ａ  解除用突起、６６Ｂ  抜去用突起、
１００  光コネクタ（現場組立型光コネクタ）
【図１】
2017142362.tif 000003
【図２】
2017142362.tif 000004
【図３】
2017142362.tif 000005
【図４】
2017142362.tif 000006
【図５】
2017142362.tif 000007
【図６】
2017142362.tif 000008
【図７】
2017142362.tif 000009
【図８】
2017142362.tif 000010
【図９】
2017142362.tif 000011
【図１０】
2017142362.tif 000012